(57)【特許請求の範囲】
【請求項１】
着用者の腹部を覆うための前身頃と、臀部を覆うための後身頃と、前記後身頃の下部の縁部にその縁部が縫合され、股部を覆うための股部パーツとを具備し、
前記股部パーツの丈方向の伸縮性は前記前身頃及び前記後身頃よりも低く、
前記股部パーツの後部は、該股部パーツの後端から前側に向かって左右幅が広がる部分であり、前記股部パーツの前部は、前記後部の前側に連なる部分であり、該前部の後端から前側に向かう部分の左右幅は、前側に向かって狭まるか同一であり、
前記股部パーツの後部の前端は、前記前身頃又は前記股部パーツにおいて着用時に最下位置に位置する最下点を基準にして前記前身頃の上側に向かって３ｃｍの位置から前記後身頃の上側に向かって３ｃｍの位置までの範囲内に存在し、
前記股部パーツの後部の後端は、前記最下点から前記後身頃の上側に向かって５．５ｃｍ〜８．５ｃｍの位置に存在し、
前記後身頃と前記股部パーツの後部との縫合部にダーツを設けてあり、該ダーツは、前記後身頃を前記股部パーツの後端を含む後端部の左右縁に沿うか重なるようにし、かつ、該後端部の前方では前記後身頃が前記股部パーツの左右縁から離間するようにしたものであることを特徴とする衣類。
【請求項２】
前記股部パーツの後部は後端に向かって細くなり、前記後身頃において前記股部パーツの後端に縫合される部位の開き角度は、前記股部パーツの後端の角度以下となっている請求項１に記載の衣類。
【請求項３】
前記後身頃の下部の縁部にギャザーを形成してある請求項１又は２に記載の衣類。
【請求項４】
前記後身頃の側縁又はその付近に補強部材を縫着してある請求項１〜３の何れか一項に記載の衣類。
【発明の詳細な説明】
【技術分野】
【０００１】
本発明は、衣類に関し、例えば、ショーツ、サニタリーショーツ、パンツ、ガードル、ボディスーツ、レオタード、スパッツ、水着、ブリーフ、トランクス等であって、女性用又は男性用であり、ボトムスのみの形態又はトップスと連続した形態を有し、補正機能の有る又は無い、股部を有する衣類に関する。
【背景技術】
【０００２】
例えば従来のショーツでは、着用者の身体になるべく沿うようにするために、図１（Ｄ）〜（Ｆ）、図２（Ｃ）及び（Ｄ）に示すように、腹部を覆う前身頃パーツ５１と、臀部を覆う後身頃パーツ５２と、股部を覆い局部保護の役割を担うマチ（股部パーツ）５３とで構成されたパターンが採用されることが多い。そして、ショーツを着用者の身体にフィットさせることを狙って、前身頃パーツ５１及び後身頃パーツ５２には伸縮性を持つ素材が用いられる。
【先行技術文献】
【特許文献】
【０００３】
【特許文献１】特開２００２−３８３０３号公報
【発明の概要】
【発明が解決しようとする課題】
【０００４】
ところで、従来のショーツのマチ５３の後端縁は、後身頃パーツ５２に向かって凸となる緩やかな円弧状を描き、かつ左右及び後方に大きく広がっているのが一般的である（例えば特許文献１参照）。
【０００５】
そのため、上記従来のショーツでは、マチ５３と後身頃パーツ５２との継ぎ目が外衣に浮き出る恐れがある。また、上記従来のショーツでは、マチ５３の後部は着用者の臀部を覆う位置にくるが、マチ５３には主に低伸縮性素材や非伸縮素材が用いられることが多い。そのため、縦横の伸縮性に乏しいマチ５３は臀部に沿い難く、股部から臀部下部までの範囲に存在する生地の余分が股部に密着せず美観を損なうばかりか身体に沿わないことによる着くずれも起き易くなる。
【０００６】
しかも、上述のようにマチ５３は伸縮性に乏しく、また、前身頃パーツ５１及び後身頃パーツ５２の伸縮性にも限度があるので、マチ５３の後端位置が後寄りである上記従来のショーツでは、臀部周辺における生地の伸縮可能域が狭まり、着用者が起立姿勢をとっているときでも、後身頃パーツ５２は臀部の膨らみ部分を覆うのに伴って大きく伸長した状態になり易くなる。そのため、例えば屈伸時の臀部の動きにまで生地が十分に追従せず、このことが後裾部分のずり上がり現象の要因ともなり得る。
【０００７】
本発明は上述の事柄に留意してなされたもので、その目的は、着用感に優れ、着用時における美観の向上を図ることもできる衣類を提供することにある。
【課題を解決するための手段】
【０００８】
上記目的を達成するために、本発明に係る衣類は、着用者の腹部を覆うための前身頃と、臀部を覆うための後身頃と、前記後身頃の下部の縁部にその縁部が縫合され、股部を覆うための股部パーツとを具備し、前記股部パーツの丈方向の伸縮性は前記前身頃及び前記後身頃よりも低く、前記股部パーツの後部は、該股部パーツの後端から前側に向かって左右幅が広がる部分であり、前記股部パーツの前部は、前記後部の前側に連なる部分であり、該前部の後端から前側に向かう部分の左右幅は、前側に向かって狭まるか同一であり、前記股部パーツの後部の前端は、前記前身頃又は前記股部パーツにおいて着用時に最下位置に位置する最下点を基準にして前記前身頃の上側に向かって３ｃｍの位置から前記後身頃の上側に向かって３ｃｍの位置までの範囲内に存在し、前記股部パーツの後部の後端は、前記最下点から前記後身頃の上側に向かって５．５ｃｍ〜８．５ｃｍの位置に存在し、前記後身頃と前記股部パーツの後部との縫合部にダーツを設けてあり、該ダーツは、前記後身頃を前記股部パーツの後端を含む後端部の左右縁に沿うか重なるようにし、かつ、該後端部の前方では前記後身頃が前記股部パーツの左右縁から離間するようにしたものである（請求項１）。
【０００９】
【００１０】
上記衣類において、前記股部パーツの後部は後端に向かって細くなり、前記後身頃において前記股部パーツの後端に縫合される部位の開き角度は、前記股部パーツの後端の角度以下となっていてもよい（請求項２）。
【００１１】
上記衣類において、前記後身頃の下部の縁部にギャザーを形成してあってもよい（請求項３）。
【００１２】
上記衣類において前記後身頃の側縁又はその付近に補強部材を縫着してあってもよい（請求項４）。
【発明の効果】
【００１３】
本願発明では、着用感に優れ、着用時における美観の向上を図ることもできる衣類が得られる。
【００１４】
すなわち、本願の各請求項に係る発明の衣類では、後身頃が臀部底面（座面部分）まで続く形となり、生地伸縮域が増え、縦及び横方向の生地伸縮を十分保持できるので屈伸時等の臀部の動きにも追随し、裾部分のずり上がり現象が起こり難くなる。また、股部パーツは局部への密着度が高くなる寸法及び形状を有することになるので、股部パーツはその形状を保持したままで後身頃は脚及び臀部の動きに追随し易くなり、この点でも、ずり上がり現象の防止を図ることができる。
【００１５】
さらに、本発明の衣類では、臀部の膨らみ部分近辺に切替を入れる必要がなく、これにより、着用時における臀部の美観を損なわず、外衣に継ぎ目が浮き出ないようにすることも容易となる。しかも、股部パーツの後端の継ぎ目は着用立位時には外から見え難い位置にくるので、外衣に浮き出ることはなく、座位時にはその縫代が臀部底面に当たらないので、ごろつき感もなく快適に着用することが可能となる。
【００１６】
請求項１に係る発明の衣類では、ダーツの角度を変えることによって、股部へのフィット具合を調整することができる。
【００１７】
請求項２に係る発明の衣類では、後身頃において股部パーツの後部の後端に縫合される部位の開き角度を、股部パーツの後部の後端の角度以下の範囲で調整し、股部のフィット性の向上を図ることができる。
【００１８】
請求項３に係る発明の衣類では、ギャザーにより、後身頃の生地の伸び量をより大きく確保することが可能となる。
【００１９】
請求項４に係る発明の衣類では、臀部底側からのヒップアップ効果が得られる。
【図面の簡単な説明】
【００２０】
【図１】（Ａ）〜（Ｃ）は本発明の一実施の形態に係る衣類の背面図、正面図及び要部拡大図であり、（Ｄ）〜（Ｆ）は従来のショーツの背面図、正面図及び要部拡大図である。
【図２】（Ａ）及び（Ｂ）は本発明の一実施の形態に係る衣類の座位時及び起立時の構成を示す底面図及び斜視図であり、（Ｃ）及び（Ｄ）は従来のショーツの座位時及び起立時の構成を示す底面図及び斜視図である。
【図３】（Ａ）は本発明の一実施の形態に係る衣類の股部パーツの位置を示す説明図、（Ｂ）は前記股部パーツの構成を概略的に示す要部拡大図、（Ｃ）は座位時の前記股部パーツの構成を概略的に示す底面図、（Ｄ）は本発明の一実施の形態に係る衣類と従来のショーツの要部を比較して示す説明図である。
【図４】本発明の一実施の形態に係る衣類のパターン図である。
【図５】（Ａ）及び（Ｂ）は、本発明の衣類の変形例のパターン図である。
【図６】（Ａ）〜（Ｃ）は、本発明の衣類の変形例の要部を示す説明図である。
【図７】本発明の衣類の変形例のパターン図である。
【図８】本発明の衣類の変形例の要部を示す説明図である。
【発明を実施するための形態】
【００２１】
本発明の実施の形態について図面を参照しながら以下に説明する。
【００２２】
図１（Ａ）〜（Ｃ）、図２（Ａ）及び（Ｂ）並びに図４に示すショーツ（本発明に係る衣類の一例）は、着用者の腹部を覆うための前身頃を構成する前身頃パーツ１と、臀部を覆うための後身頃を構成する後身頃パーツ２と、前身頃パーツ１及び後身頃パーツ２の各々下部に縫合（連結）され、股部を覆うための股部パーツ３とを具備し、股部パーツ３は、表マチ３Ａ及び裏マチ３Ｂによって構成されている（図４参照）。なお、各部材１〜３は左右対称であり、図４には、各部材１〜３のそれぞれ左右の何れか半分のみを示している。
【００２３】
図１（Ｂ）に示すように、前身頃パーツ１の左右縁の上部は後身頃パーツ２に接合され、左右縁の下部は足刳りを形成する。
【００２４】
図１（Ａ）及び（Ｂ）に示すように、後身頃パーツ２の下縁は、股部パーツ３が縫合（連結）される中央部を除いて足刳りを形成する部位となる。また、図４に示すように、後身頃パーツ２の下部の縁部（足刳り部分及び下縁中央部２ｂ（股部パーツ３との縫合部分））にはギャザー部２ａを設け、後身頃パーツ２の生地の伸び量を確保している。
【００２５】
表マチ３Ａの丈方向の伸縮性は前身頃パーツ１及び後身頃パーツ２と同程度であり、裏マチ３Ｂの丈方向の伸縮性は前身頃パーツ１及び後身頃パーツ２よりも低い。そのため、表マチ３Ａ及び裏マチ３Ｂを重ねてなる股部パーツ３の丈方向の伸縮性は、前身頃パーツ１及び後身頃パーツ２よりも低くなっている。
【００２６】
そして、図１（Ｃ）に示すように、股部パーツ３の前部５は、前後にわたって左右幅が略一定であるか、又は、前後にわたって左右幅が変動（狭まったり広がったり）し、前部５の前端と後端の左右幅は略同一若しくは後端の左右幅が広くなっている一方、後部６は後身頃側に向かって左右幅が狭まっている。なお、本例では、前部５の左右縁は足刳りを形成し、後部６は後身頃パーツ２に縫合される。
【００２７】
ここで、股部パーツ３の前部５の左右幅は、狭すぎると着用時に不快感をもたらし、広すぎると運動時等の脚の動きによって着くずれすることもある。そこで、前部５の後端（前部５と後部６の境目）５ａ（図１（Ｃ）参照）における左右幅が、４ｃｍ〜８ｃｍの範囲となるように構成している。
【００２８】
また、股部パーツ３の後部６の前端６ａ（前部５の後端５ａ）は、前身頃パーツ１又は股部パーツ３において着用時に最下位置に位置する最下点Ｐ（大腿部側面の正中線上に位置する点）を基準にして前身頃の上側に向かって３ｃｍ進んだ位置から後身頃の上側に向かって３ｃｍ進んだ位置までの範囲内に存在し、股部パーツ３の後部６の後端６ｂは、最下点Ｐから後身頃の上側に向かって５．５ｃｍ〜８．５ｃｍの位置に存在するようにしている。なお、本例では、図３（Ａ）及び（Ｃ）に示すように、股部パーツ３の後端６ｂを、膣口７より下方（後方）かつ肛門８より上方（前方）に位置させている。
【００２９】
つまり、最下点Ｐから後部６の前端６ａまでの距離ｄ１（図４参照）は、前端６ａが最下点Ｐよりも後身頃側に位置する場合をプラス、その逆の場合をマイナスとすると、＋３ｃｍ〜―３ｃｍの範囲内にある。また、最下点Ｐから後部６の後端６ｂまでの距離ｄ２（図４参照）は、５．５ｃｍ〜８．５ｃｍの範囲内にある。
【００３０】
そして、後部６と後身頃パーツ２との切替線は、後部６の前端６ａの左右と後端６ｂとを後身頃側に向かって凸となるカーブで結んだ形状を呈する（図３（Ｂ）参照）。なお、後部６と後身頃パーツ２との切替線が、後部６の前端６ａの左右と後端６ｂとを直線で結んだ形状を呈するようにしてもよい（図３（Ｂ）の一点鎖線参照）。また、後部６と後身頃パーツ２との切替線における後端６ｂ近傍は、後端６ｂに向かって尖る形状（図３（Ｂ）参照）をしていてもよいし、ミシンによる縫合作業に適するように円弧状などの丸みを帯びた形状をしていてもよい。
【００３１】
本例の衣類では、後身頃パーツ２が臀部底面（座面部分）まで続く形となり、図１の（Ａ）と（Ｄ）、同（Ｃ）と（Ｆ）、図２の（Ａ）と（Ｃ）、同（Ｂ）と（Ｄ）を対比すれば明らかなように、従来のショーツと比べると生地伸縮域が大幅に増え（図３（Ｄ）も参照）、これにより、縦及び横方向の生地伸縮を十分保持できるので屈伸時等の臀部の動きにも生地は十分に追随し、裾部分のずり上がり現象が起こり難くなる。また、股部パーツ３は局部への密着度が高くなる寸法及び形状を有することになるので、股部パーツ３はその形状を保持したままで後身頃パーツ２は脚及び臀部の動きに追随し易くなり、この点でも、ずり上がり現象の防止を図ることができる。
【００３２】
さらに、本例の衣類では、臀部の膨らみ部分近辺に切替を入れる必要がなく、これにより、着用時における臀部の美観を損なわず、外衣に継ぎ目が浮き出ないようにすることも容易となる。しかも、股部パーツ３の後端の継ぎ目は着用立位時には外から見え難い位置にくるので、外衣に浮き出ることはなく、座位時にはその縫代が臀部底面に当たらないので、ごろつき感もなく快適に着用することが可能となる。
【００３３】
すなわち、本例の衣類では、股部パーツ３の後端は、外陰部形状に沿い、かつ不快感をもたらさない位置で後身頃と切り替えられ、外陰部と脚部の領域を明確にすることで、臀部底面（座面部分）から腰部に掛けての範囲を臀部と位置付けることができる。そして、屈伸時や歩行時に形状の変化量が大きく面積も広い脚部及び臀部と、形状の変化量が小さく面積も狭い外陰部とを構造において区分し、身体構造により近くなるように各パーツ１，２，３を構築することで、生地と身体との密着度が増すのと同時に臀部の安定感が生まれ、運動時の身体の動きにも生地が追随するので臀部裾のずり上がり現象の防止を図ることができる。
【００３４】
また、本例の衣類では、図４に示すように、後身頃パーツ２の下縁中央部２ｂと股部パーツ３の後部６の外縁６ｃとの縫合部にダーツを設けてあり、これにより、股部パーツ３の身体（股部）へのフィット性を向上させることができる。
【００３５】
なお、本発明は、上記の実施の形態に何ら限定されず、本発明の要旨を逸脱しない範囲において種々に変形して実施し得ることは勿論である。例えば、以下のような変形例を挙げることができる。
【００３６】
図１（Ａ）等に示す例では、前身頃パーツ１及び後身頃パーツ２は各々一枚からなるが、これに限らず、両パーツ１，２の一方又は両方が複数枚のパーツから構成されていてもよく、また、両パーツ１，２の一方の一部又は全部が他方の一部又は全部と一体化されて（一枚になって）いてもよい。具体的には、前身頃パーツ１又は後身頃パーツ２を、正中線を境に左右に分割された２枚構造としたり、前身頃パーツ１の左右と後身頃パーツ２の左右とをそれぞれ継ぎ目無しに一体としたり（図５（Ａ）参照）することができる。
【００３７】
上記実施の形態では、股部パーツ３が表マチ３Ａ及び裏マチ３Ｂからなる二枚構造となっている。すなわち、股部パーツ３を、表に使用する表マチ３Ａと裏（肌にあたる側）に使用する裏マチ３Ｂという二枚構造にして、表マチ３Ａと裏マチ３Ｂは同一の形状としている。そして、表マチ３Ａを前身頃、後身頃と同じ素材にすることでデザインのバランスをとり、裏マチ３Ｂを伸縮性の低い素材を使って、股部パーツ３として伸縮性に制限を加えることで機能性を発揮する形態としている。しかし、股部パーツ３は、一枚構造でも複数枚構造でもよい。股部パーツ３が一枚構造の場合、前身頃及び後身頃よりも丈方向の伸縮性の低い素材を使用する。股部パーツ３が複数枚構造の場合は、股部に位置するパーツの少なくとも一枚に、前身頃及び後身頃よりも丈方向の伸縮性の低い素材を使用する。
【００３８】
図４に示す例では、股部パーツ３が表マチ３Ａと裏マチ３Ｂとからなり、両者３Ａ，３Ｂは何れも前身頃パーツ１と別体になっているが、前身頃パーツ１が表マチ３Ａに相当する部位を一体的に有していてもよい。この場合、前身頃パーツ１において表マチ３Ａに相当する部位に、前身頃パーツ１及び後身頃パーツ２よりも丈方向の伸縮性の低い裏マチ３Ｂを重ね合わせて縫合すればよく、この場合の股部パーツ３は裏マチ３Ｂのみによって構成されることになる（図５（Ｂ）参照）。また、表マチ３Ａに相当する部位を前身頃パーツ１ではなく後身頃パーツ２に一体的に設け、この部位に、股部パーツ３を構成する裏マチ３Ｂを重ね合わせて縫合するようにしてもよい。
【００３９】
図６（Ａ）〜（Ｃ）に示すように、股部パーツ３の後端６ｂを尖らせる場合、後身頃パーツ２において後端６ｂに対応する（縫合される）部位（Ｖ字状の溝部）の開き角度βは、後身頃の臀部底面の伸縮域を削らないために、もしくは伸縮域の要素を増すために、後端６ｂの角度（内角）α以下とすることが好ましい。また、股部パーツ３の後部６を、後端６ｂから所定の距離ｄ３（例えば２ｃｍ〜３．５ｃｍ）までの範囲にある後端部１０と、それより前側に位置する本体部１１とに区分して考えた場合に、後身頃パーツ２は、後端部１０の左右縁に沿う（図６（Ａ）及び（Ｂ）参照）か重なる（図６（Ｃ）参照）ようにし、かつ、本体部１１の左右縁から離間するように構成するのが望ましく、その開き角度の差に相当するダーツ角度θは、１５°以上４０°以下とすることができる。このようにすれば、後身頃パーツ２の丈方向の伸縮域を削ることなく、股部から臀部にかけてのフィット性を高めることができる。なお、図６（Ｂ）及び（Ｃ）のように、本体部１１の左右縁や後身頃パーツ２の縁が曲線状の場合には、外縁６ｃにおいて前部５と後部６との境界に位置する点Ｐ１と、外縁６ｃにおいて後端部１０と本体部１１との境界に位置する点Ｐ２と、後身頃パーツ２において点Ｐ１に対応する点Ｐ３とを結んだときに、点Ｐ１、Ｐ２を通る直線と点Ｐ２，Ｐ３を通る直線とのなす角度を、ダーツ角度θとみなせばよい。
【００４０】
図７に示すように、後身頃パーツ２に、後身頃パーツ２の側縁又はその付近に沿って上下方向に延びる補強部材（補強布）９を縫着し、ヒップアップ効果を奏するように構成してもよい。この補強部材９を設けるにあたっては、補強部材９の下端を後身頃パーツ２の下部の臀部底面に相当する部分（例えば下縁中央部２ｂ）にまで延ばし、上端は後身頃パーツ２の上部まで延ばせばよく、例えば後身頃パーツ２の上縁まで延ばしてもよいし（破線参照）、側縁上部まで延ばしてもよい（一点鎖線参照）。
【００４１】
図８に示すように、股部パーツ３の左右端を足刳りに平行に切り替え、後身頃パーツ２の下部にその分量分を延在させた形にしてもよい。すなわち、股部パーツ３が、後身頃パーツ２によって全長にわたって左右から挟まれるように構成してあってもよい。
【００４２】
足刳りに別パーツ（例えば、ストレッチレースのような伸縮性素材や前後身頃と同じ素材等からなり大腿部を覆う筒状のパーツ）を設けてあってもよい。
【００４３】
なお、本明細書で挙げた変形例どうしを適宜組み合わせてもよいことはいうまでもない。
【符号の説明】
【００４４】
１    前身頃パーツ
２    後身頃パーツ
２ａ  ギャザー部
２ｂ  下縁中央部
３    股部パーツ
３Ａ  表マチ
３Ｂ  裏マチ
５    股部パーツの前部
５ａ  股部パーツの前部の後端
６    股部パーツの後部
６ａ  股部パーツの後部の前端
６ｂ  股部パーツの（後部の）後端
６ｃ  股部パーツの後部の外縁
７    膣口
８    肛門
９    補強部材
１０    股部パーツの後部の後端部
１１    股部パーツの後部の本体部
５１    前身頃パーツ
５２    後身頃パーツ
５３    マチ
Ｐ    最下点
Ｐ１  点
Ｐ２  点
Ｐ３  点
ｄ１  距離
ｄ２  距離
ｄ３  距離
α    後端６ｂの角度
β    開き角度
θ    ダーツ角度
【図１】
0006543528.tif 000002
【図２】
0006543528.tif 000003
【図３】
0006543528.tif 000004
【図４】
0006543528.tif 000005
【図５】
0006543528.tif 000006
【図６】
0006543528.tif 000007
【図７】
0006543528.tif 000008
【図８】
0006543528.tif 000009